(57)【要約】  【課題】  表示装置に表示させる情報の視認性を向上することができる移動体端末を提供する。  【解決手段】  現在位置を算出する現在位置算出部２と、地図情報を記憶する地図情報記憶部３と、現在位置算出部２によって算出された現在位置から利用者によって指定された目的地までの経路を探索する経路探索部４と、過去に通過した既通過経路を表す既通過経路情報を記憶する通過経路記憶部５と、経路探索部４によって探索された経路を地図情報が表す地図と共に表示する表示部６と、現在位置にある経路が過去に通過した経路上にあるか否かに応じて表示部６の表示を制御する表示制御部７とを備える。【選択図】  図１
2006242829.tif 000002
【特許請求の範囲】
【請求項１】
現在位置が過去に通過した経路上にあるか否かに応じて表示装置の表示を制御する表示制御手段を備えた移動体端末。
【請求項２】
前記表示制御手段は、前記表示装置に表示される地図情報に含まれる文字情報の表示を制御することを特徴とする請求項１に記載の移動体端末。
【請求項３】
前記表示制御手段は、前記表示装置に表示される地図情報に含まれるランドマークの表示を制御することを特徴とする請求項１または請求項２に記載の移動体端末。
【請求項４】
前記表示制御手段は、前記表示装置に表示される情報のうち一部の情報の表示サイズを変更することを特徴とする請求項１乃至請求項３の何れかに記載の移動体端末。
【請求項５】
現在位置が過去に通過した経路上にあるか否かに応じて表示装置の表示を制御する表示制御方法。
【請求項６】
現在位置が過去に通過した経路上にあるか否かに応じて表示装置の表示を制御する処理をコンピュータに実行させるための表示制御プログラム。
【発明の詳細な説明】
【技術分野】
【０００１】
本発明は、カーナビゲーション装置や携帯電話等に用いられ、表示装置の表示を制御する移動体端末に関するものである。
【背景技術】
【０００２】
近年の移動体端末は、ハードディスク、ＤＶＤ（Digital Versatile Disc）またはＣＤ（Compact Disc）等の記録媒体に予め用意された地図情報を記憶し、移動体端末の画面上に現在位置および進行方向を周辺地図と共に表示する一方、目的地までの経路探索を行い、探索した経路を音声や画像で利用者に案内する。
【０００３】
従来の移動体端末としては、移動体端末に加えられる振動や衝撃を加速度検出器で検出し、検出した加速度の変化が継続的であって加速度の変化量が所定値を超えていた場合に、画面に表示する文字のサイズを拡大するものがある（例えば、特許文献１参照）。
【０００４】
また、小さい画面に表示すると視認性が悪くなる画数が多い漢字をカタカナ、数字およびアルファベットに代えて画面に表示するものもある（例えば、特許文献２参照）。
【特許文献１】特開２００３−１６９１２５号公報（第１−３頁、第１図）
【特許文献２】特開２００２−１６３２６８号公報（第１−２頁、第５図）
【発明の開示】
【発明が解決しようとする課題】
【０００５】
しかしながら、特許文献１に記載された従来の移動体端末は、文字を拡大して画面に表示することで、画面に表示できる文字数が少なくなってしまったり、画面に表示される目的地までの経路や建物等を表すランドマークが拡大した文字に隠されてしまったりするため、画面に表示された情報の視認性が低下するといった問題があった。
【０００６】
また、特許文献２に記載された従来の移動体端末においては、地名の「新宿」を「シンジュク」とカタカナで表示した場合のように、逆に文字の意味が分かりにくくなり、画面に表示された情報の視認性が低下するといった問題があった。
【０００７】
本発明は、従来の問題を解決するためになされたもので、表示装置に表示させる情報の視認性を向上することができる移動体端末を提供することを目的とする。
【課題を解決するための手段】
【０００８】
本発明の移動体端末は、現在位置が過去に通過した経路上にあるか否かに応じて表示装置の表示を制御する表示制御手段を備えた構成を有している。
【０００９】
この構成により、本発明の移動体端末は、利用者が既に認識している可能性が高い情報の表示を抑制して、他の情報を強調して表示装置に表示させることができるため、表示装置に表示させる情報の視認性を向上することができる。
【００１０】
なお、前記表示制御手段は、前記表示装置に表示される地図情報に含まれる文字情報の表示を制御するようにしてもよい。
【００１１】
この構成により、本発明の移動体端末は、表示装置に表示させる文字のサイズ、フォント、色、文字幅、太細、行間および表示の有無を変更することによって、表示装置に表示させる情報の視認性を向上することができる。
【００１２】
また、前記表示制御手段は、前記表示装置に表示される地図情報に含まれるランドマークの表示を制御するようにしてもよい。
【００１３】
この構成により、本発明の移動体端末は、表示装置に表示させるランドマークのサイズおよび表示の有無を変更することによって、表示装置に表示させる情報の視認性を向上することができる。
【００１４】
また、前記表示制御手段は、前記表示装置に表示される情報のうち一部の情報の表示サイズを変更するようにしてもよい。
【００１５】
この構成により、本発明の移動体端末は、表示装置に表示させる情報のサイズを変更することによって、表示装置に表示させる情報の視認性を向上することができる。
【００１６】
また、本発明の表示制御方法は、現在位置が過去に通過した経路上にあるか否かに応じて表示装置の表示を制御する。
【００１７】
したがって、本発明の表示制御方法は、利用者が既に認識している可能性が高い情報の表示を抑制して、他の情報を強調して表示装置に表示させることができるため、表示装置に表示させる情報の視認性を向上することができる。
【００１８】
また、本発明の表示制御プログラムは、現在位置が過去に通過した経路上にあるか否かに応じて表示装置の表示を制御する処理をコンピュータに実行させるためのものである。
【００１９】
したがって、表示制御プログラムは、利用者が既に認識している可能性が高い情報の表示を抑制して、他の情報を強調して表示装置に表示させることができるため、表示装置に表示させる情報の視認性を向上することができる。
【発明の効果】
【００２０】
本発明は、表示装置に表示させる情報の視認性を向上することができるといった効果を有する移動体端末を提供することができる。
【発明を実施するための最良の形態】
【００２１】
以下、本発明の実施の形態について、図面を参照して説明する。
【００２２】
本発明の一実施の形態の移動体端末を図１に示す。
【００２３】
なお、移動体端末１は、カーナビゲーション装置、携帯電話、ＰＨＳ（Personal Handy-phone System）およびＰＤＡ（Personal Digital Assistant）等のように使用場所に関係なく利用できるものによって構成される。
【００２４】
移動体端末１は、現在位置を算出する現在位置算出部２と、地図情報を記憶する地図情報記憶部３と、現在位置算出部２によって算出された現在位置から利用者によって指定された目的地までの経路を探索する経路探索部４と、過去に通過した経路を表す既通過経路情報を記憶する通過経路記憶部５と、経路探索部４によって探索された経路を地図情報が表す地図と共に表示する表示部６と、表示部６の表示を制御する表示制御部７とを備えている。
【００２５】
現在位置算出部２は、ＧＰＳ（Global Positioning System）やジャイロセンサ等によって構成されている。なお、現在位置算出部２は、路側機、ホットスポットまたは携帯電話基地局との距離を計測して現在位置を算出するようにしてもよい。
【００２６】
地図情報記憶部３および通過経路記憶部５は、ハードディスク、フラッシュメモリまたはＲＡＭ（Random Access Memory）のような記憶媒体によって構成されている。なお、地図情報記憶部３および通過経路記憶部５は、ネットワークを介して接続された外部の記憶装置によって構成してもよく、メモリカード等のような着脱可能な記憶媒体によって構成してもよい。
【００２７】
経路探索部４および表示制御部７は、ＣＰＵ（Central Processing Unit）と、ＣＰＵによって実行されるプログラムを記憶したＲＯＭ（Read Only Memory）と、ＲＯＭに記憶されたプログラムを実行するＣＰＵが利用するデータを記憶するＲＡＭとによって構成されている。
【００２８】
表示部６は、タッチパネル付きの液晶ディスプレイのような表示装置によって構成され、地図や探索経路の他に、利用者による指示が入力されるメニューボタン等を表示するようになっている。
【００２９】
表示制御部７は、本発明における表示制御手段を構成し、現在位置算出部２によって算出された現在位置と、通過経路記憶部５に記憶された既通過経路情報とに基づいて、現在位置にある経路が、過去に通過したことがある既通過経路および過去に通過したことがない未通過経路の何れかであるかを判断するようになっている。
【００３０】
例えば、地図情報記憶部３に記憶された地図情報には、店舗や施設等を表すランドマークの他に、図２に示すように、交差点等の分岐点をノードとし、各交差点を結ぶ道路をリンクとし、各リンクに識別番号（以下単に「道路リンクＩＤ」という。）が割り当てられて記憶されている。
【００３１】
表示制御部７は、現在位置にある道路に割り当てられた道路リンクＩＤを図３に示すような既通過経路情報として通過経路記憶部５に記憶するようになっている。
【００３２】
表示制御部７は、現在位置にある道路に割り当てられた道路リンクＩＤが通過経路記憶部５に記憶された既通過経路情報に含まれているか否かによって、現在位置にある経路が既通過経路および未通過経路の何れかであるかを判断するようになっている。
【００３３】
通過経路記憶部５には、通過経路情報の他に、図４に示すような表示制御テーブルが記憶されている。ここで、表示制御テーブルは、現在位置にある経路が既通過経路であると表示制御部７によって判断された場合に表示制御部７に参照される既通過経路の列と、現在位置にある経路が未通過経路であると表示制御部７によって判断された場合に表示制御部７に参照される未通過経路の列とによって構成される。
【００３４】
また、表示制御テーブルの各列には、文字のサイズ、フォント、色、文字幅、太細字および行間幅等の指示を表す情報と、地名の間引きを行うか否かの指示を表す情報と、ランドマークやメニューボタンの縮小、削除または拡大等の指示を表す情報とがそれぞれ含まれている。
【００３５】
なお、表示制御テーブルは、利用者が表示部６のタッチパネル等を介して任意に設定できるようにしてもよく、ネットワークを介して外部から取得できるようにしてもよい。
【００３６】
表示制御部７は、前述した判断の結果と、表示制御テーブルとに基づいて表示部６の表示を制御するようになっている。
【００３７】
以上のように構成された移動体端末１について、図５を用いてその動作を説明する。
【００３８】
まず、移動体端末１の現在位置が現在位置算出部２によって算出され（Ｓ１）、通過経路記憶部５に記憶された既通過経路情報に基づいて、現在位置にある経路が既通過経路および未通過経路の何れかであるかが表示制御部７によって判断される（Ｓ２）。
【００３９】
ここで、現在位置にある経路が未通過経路であると判断された場合には、現在位置にある経路が表示制御部７によって通過経路記憶部５に記憶され（Ｓ３）、表示制御テーブルの未通過経路の列に表された各指示に基づいて表示部６の表示が表示制御部７によって制御される（Ｓ４）。
【００４０】
一方、現在位置にある経路が既通過経路であると判断された場合には、表示制御テーブルの既通過経路の列に表された各指示に基づいて、表示部６の表示が表示制御部７によって制御される（Ｓ５）。
【００４１】
例えば、現在位置にある経路が既通過経路であると表示制御部７によって判断された場合には、図６（ａ）に示すように、表示部６に表示される地名等を表す文字が小さくなったり、細くなったり、削除されたりする。一方、現在位置にある経路が未通過経路であると表示制御部７によって判断された場合には、図６（ｂ）に示すように、表示部６に表示される地名等を表す文字が大きくなったり、太くなったりする。
【００４２】
また、現在位置にある経路が既通過経路であると表示制御部７によって判断された場合には、図７（ａ）に示すように、表示部６に表示されるメニューボタンが通常どおりに表示される。一方、現在位置にある経路が未通過経路であると表示制御部７によって判断された場合には、図７（ｂ）に示すように、表示部６に表示されるメニューボタンのうち、目的地の設定や現在地を表示させるメニューボタンが拡大表示される。
【００４３】
また、現在位置にある経路が既通過経路であると表示制御部７によって判断された場合には、図８（ａ）に示すように、現在位置付近にある建物等を表すランドマークが縮小表示される。一方、現在位置にある経路が未通過経路であると表示制御部７によって判断された場合には、図８（ｂ）に示すように、現在位置付近にある建物等を表すランドマークが拡大表示される。なお、ランドマークを拡大表示や縮小表示するのではなく、大きさの異なるマークを２種類用意しておき、切りかえて表示するようにしてもよい。
【００４４】
また、現在位置にある経路が既通過経路であると表示制御部７によって判断された場合には、図９（ａ）に示すように、表示部６に表示される地図の縮尺が大きくなる。一方、現在位置にある経路が未通過経路であると表示制御部７によって判断された場合には、図９（ｂ）に示すように、表示部６に表示される地図の縮尺が小さくなる。
【００４５】
このような本発明の一実施の形態の移動体端末１は、利用者が既に認識している可能性が高い情報の表示を抑制して、他の情報を強調して表示部６に表示させることができるため、表示部６に表示させる情報の視認性を向上することができる。
【産業上の利用可能性】
【００４６】
以上のように、本発明にかかる移動体端末は、表示装置に表示させる情報の視認性を向上することができるといった効果を有し、例えば、カーナビゲーション装置や携帯電話等に用いられ、表示装置の表示を制御する移動体端末等として有用である。
【図面の簡単な説明】
【００４７】
【図１】本発明の一実施の形態における移動体端末の機能ブロック図
【図２】本発明の一実施の形態における移動体端末が記憶する地図情報に含まれる道路リンクＩＤを説明するための概念図
【図３】本発明の一実施の形態における移動体端末が記憶する既通過経路情報の例を示すテーブル
【図４】本発明の一実施の形態における移動体端末が記憶する表示制御テーブルの例を示すテーブル
【図５】本発明の一実施の形態における移動体端末の動作説明のためのフロー図
【図６】本発明の一実施の形態における移動体端末を構成する表示部による第１の表示例を示すイメージ
【図７】本発明の一実施の形態における移動体端末を構成する表示部による第２の表示例を示すイメージ
【図８】本発明の一実施の形態における移動体端末を構成する表示部による第３の表示例を示すイメージ
【図９】本発明の一実施の形態における移動体端末を構成する表示部による第４の表示例を示すイメージ
【符号の説明】
【００４８】
１  移動体端末
２  現在位置算出部
３  地図情報記憶部
４  経路探索部
５  通過経路記憶部
６  表示部
７  表示制御部
【図１】
2006242829.tif 000003
【図２】
2006242829.tif 000004
【図３】
2006242829.tif 000005
【図４】
2006242829.tif 000006
【図５】
2006242829.tif 000007
【図６】
2006242829.tif 000008
【図７】
2006242829.tif 000009
【図８】
2006242829.tif 000010
【図９】
2006242829.tif 000011